Podtech/llm-jp-corpus-v4-ja_patent huggingface dataset:
(57)【要約】      （修正有）【課題】コンパクトに畳めバック等に収納できるとともに、風に飛ばされることがなく、前後左右どこを前にしても被れる帽子を提供する。【解決手段】飾りリボンの両端部に係止具４、５を設け、飾りリボンが係止具によって帽子のツバ部分に固定されており、不使用時には縦方向に丸めて折りたたんで係止具で固定できることを特徴とする。また、裏面に顎紐６を付け、顎紐を固定するゴム止めを前後左右４箇所設けた。【選択図】図１
0003213939.tif 000002
【実用新案登録請求の範囲】
【請求項１】
帽子のツバ部分に飾りリボンを止める係止具を使い、不使用時に縦方向に丸めるように折りたたんで前記係止具で固定できることを特徴とする折りたたみ式帽子
【請求項２】
帽子が風に飛ばされないよう顎紐と顎紐を固定するゴム止めを４箇所設けた。風に飛ばされる予防と顎紐の４箇所のゴム止めを使い前後左右に帽子を被れるようにした帽子
【考案の詳細な説明】
【技術分野】
【０００１】この考案は帽子を被らない時、コンパクトに畳めバック等に収納できるという利便性を有する。風に飛ばない顎紐止めを４箇所設け、前後左右どこを前にしても被れるようにした。
【背景技術】
【０００２】従来より折りたためる帽子はあったが、素早くボタンで止めてたためることは出来なかった。又、前後左右に帽子を被れるように顎紐位置を３箇所以上設けたものは無かった。
【考案の概要】
【考案が解決しようとする課題】
【０００３】帽子を被らない時、帽子を手に持って持ち運びしなければならなかった。
畳んだ状態からすぐに元に戻って被れる特徴を有する。
前後左右どちらを前にしても被れるように顎紐を固定するゴム止めを４箇所付けた
【課題を解決するための手段】
【０００４】帽子の飾りリボンを止める係止具を使用し、縦方向に丸める様に畳んだ状態で前記係止具で固定しコンパクトにすることを可能した。又帽子が風に飛ばないように顎紐を付け、顎紐を止めるゴム止めを４箇所設けた。
【考案の効果】
【０００５】帽子をコンパクトにたためバック等に収納で出来ることで不便さを解消した。又収納されたものを簡単に被れるようにした。
顎紐を付けて風に飛びにくくし位置を変える事で前後左右被れるようにした
【図面の簡単な説明】
【０００６】
【図１】リボン付きの帽子を後方から見た顎紐を備えた原型の図
【図２】裏面から見たもので顎紐が付いた状態の図
【図３】縦方向に丸めるように折りたたんで係止具を止める前の図
【図４】縦方向に丸めるように折りたたんだ状態のコンパクトになった図
【図５】コンパクトになった図４の反対側から見た図
【考案を実施するための形態】
【０００７】リボンを固定する係止具を外し縦方向に丸めて前記係止具を止めてコンパクトな状態に出来る。又裏面の顎紐で風に飛ばされる事を防止し、顎紐位置を変えることで前後左右、どの方向を前にしても被れるようにした。
【実施例】
【０００８】（図１）
帽子を後方から見たリボン付き・顎紐付き原型図。リボン止めに係止具を付けている
（図２）
帽子の裏面で顎紐３と顎紐止めのゴムループ４〜７（前後左右４箇所）付きの配置図。顎紐はゴムループのどの位置（４・５か６・７）にも取り付け可能
（図３）
縦方向に丸めるようにたたみ係止具を掛ける前の図。この状態で４と５の係止具で止めコンパクトになる
（図４）
縦方向に丸めるようにたたみ係止具を掛け、この状態で収納可能になる
（図５）
縦方向に丸めるようにたたんだ図４の反対側から見た図で、リボンは４部分で固定されている
【産業上の利用可能性】
【０００９】帽子を被る人への利便性や快適性を与え、今後帽子を被りたいというファン層が広がる事が期待出来る
【符号の説明】
【００１０】（図１）
１、  トップ部分
２、  ツバ部分
３、  飾りリボン
４、  係止具（右）
５、  係止具（左）
６、  顎紐
（図２）
１、  ツバ部分（裏面）
２、  スベリ（汗止め）部分
３、  顎紐部分
４、  顎紐止めゴムループ部分
５、  顎紐止め
６、  顎紐止め
７、  顎紐止め
（図３）
１、  トップ部分
２、  ツバ部分
３、  リボン部分
４、  係止具（左）
５、  係止具（右）
（図４）
１、  トップ部分
２、  ツバ部分
３、  リボン部分
４、  係止具（左）
５、  係止具（右）
（図５）
１、  トップ部分
２、  ツバ部分
３、  リボン部分
４、  リボンの固定部分
【図１】
0003213939.tif 000003
【図２】
0003213939.tif 000004
【図３】
0003213939.tif 000005
【図４】
0003213939.tif 000006
【図５】
0003213939.tif 000007
【手続補正書】
【提出日】平成29年9月27日(2017.9.27)
【手続補正１】
【補正対象書類名】実用新案登録請求の範囲
【補正対象項目名】全文
【補正方法】変更
【補正の内容】
【実用新案登録請求の範囲】
【請求項１】
飾りリボンの両端部に係止具を設け、前記飾りリボンが前記係止具によって帽子のツバ部分に固定されており、不使用時には縦方向に丸めて折りたたんで前記係止具で固定できることを特徴とする折りたたみ式帽子。
【請求項２】
裏面に顎紐を付け、前記顎紐を固定するゴム止めを前後左右４箇所設けた、ことを特徴とする請求項１に記載の折りたたみ式帽子。
(57)【要約】      （修正有）【課題】ダルマの重量・柄を注文に応じて作り、世界で一つの記念になる記念ダルマを提供する。【解決手段】無地ダルマが出生時の体重等になるように砂やペレットの充填物を計量して封入し、注文に応じて似顔絵１や、服や柄２、メッセージ３を描いたり、出生児の手足形４を付けて仕上げてある。【選択図】図１
0003213935.tif 000002
【実用新案登録請求の範囲】
【請求項１】
底部に土台穴を有する無地のダルマに、似顔絵や好みの服・柄・メッセージ等を注文に応じて描き、注文に応じて生まれた時の体重等と同じ重さになる様に、土台穴から砂やペレット等の充填物を計量して封入する。
【考案の詳細な説明】
【技術分野】
【０００１】  本考案は、ダルマの重さを変えたり、ダルマ本体に似顔絵やメッセージを書いた記念品に関するものである。
【背景技術】
【０００２】  従来、ダルマは伝統的な顔、簡素な願いが書かれていた。
また、ぬいぐるみの重さを変えたり足裏にメッセージを書いたものがあった（特許文献１参照）。
【先行技術文献】
【特許文献】
【０００３】
【特許文献１】特開２００２−３６０９４９号広報
【考案の概要】
【考案が解決しようとする課題】
【０００４】  それには次のような問題点があった。
（イ）従来のダルマは、縁起は良いが古臭く感じられるのか需要が減ってきた。
（ロ）重さを変えたりメッセージ等を足裏に書いたぬいぐるみは、可愛く一定需要はあったが一見ただのぬいぐるみでした。
本考案は、以上の問題点を解決するためものである。
【課題を解決するための手段】
【０００５】底部に土台穴を有する無地のダルマに、似顔絵や好みの服・柄・メッセージ等を注文に応じて描き、注文に応じて生まれた時の体重等と同じ重さになる様に、土台穴から砂やペレット等の充填物を計量して封入する。
【考案の効果】
【０００６】見た目に世界で一つだけの特徴的なダルマになり、出生時の体重等にすることで出生の記念や結婚式での親への贈り物になる。
【図面の簡単な説明】
【０００７】
【図１】本考案の斜視図。
【図２】本考案において、土台穴から充填物を封入している状態を示す斜視図。
【考案を実施するための形態】
【０００８】  以下、本考案の実施の形態について説明する。
（イ）無地ダルマの土台穴（６）から、注文重量になるように充填物（５）を入れシールで蓋をする。
（ロ）ダルマの顔部分に似顔絵（１）を描き、胴体部分は注文に応じて服や柄（２）を描いたり、出生児の手・足形（４）を付けたり、メッセージ等（３）を描く。
本考案は以上の構成よりなっている。
【符号の説明】
【０００９】    １  似顔絵
２  柄
３  メッセージ等
４  手・足形
５  充填物
６  土台穴
【図１】
0003213935.tif 000003
【図２】
0003213935.tif 000004
【手続補正書】
【提出日】平成29年9月27日(2017.9.27)
【手続補正１】
【補正対象書類名】実用新案登録請求の範囲
【補正対象項目名】全文
【補正方法】変更
【補正の内容】
【実用新案登録請求の範囲】
【請求項１】
底部に土台穴を有する無地のダルマに、似顔絵や好みの服・柄・メッセージを注文に応じて描き、生まれた時の体重と同じ重さになる様に、土台穴から砂やペレットの充填物を計量して封入してあることを特徴とする記念ダルマ。
(57)【要約】      （修正有）【課題】液体の漏れを防ぐ簡易袋を提供する。【解決手段】複数の袋１、２を接着した複数層構造にすることで、結露又は液体の漏れを防ぐ事ができる。【選択図】図１
0003213940.tif 000002
【実用新案登録請求の範囲】
【請求項１】
類似した袋を重なり合わせ接着し、複数層構造にさせた液体の漏れを防ぐ袋
【請求項２】
袋は底面が四角形又は円状、楕円状の形状を持つ請求項１記載の袋
【請求項３】
袋の開閉構造は直接手締めによる結束、凸凹ロック形式、ファスナー式を用いた請求項１記載の袋
【考案の詳細な説明】
【技術分野】
【０００１】本考案は、液体の漏れを防ぐ簡易袋に関する
【背景技術】
【０００２】従来の化学繊維を用いた袋は、消費生活を営む上で様々な用途に用いられてきた
【考案の概要】
【考案が解決しようとする課題】
【０００３】しかしながら、液体又は水分を含む物を袋に入れる際、水漏れが起こり、袋に入れまたそれ自体を別の袋で入れる事で水漏れを防いでいた
【課題を解決するための手段】
【０００４】本考案は、以上のような従来の欠点に鑑み、当初から複数層構造に接着する事により、上記課題を解決するものである
【考案の効果】
【０００５】上述に示したように液体漏れを防ぐ事で、一例効果として今日のゴミ指定袋は、全国各区市町村において定められた形状になっているが、ゴミ収集所に汚物の液体が漏れ出る事で、衛生上において悪臭や小動物やカラスなどの撃退を予防することが出来る【０００６】袋の破損、穴あきなどの予防対策、耐久性に優れている【０００７】スーパーマーケット等の食品売り場において、精肉、鮮魚、青果などの水分を含む食品の購入において、備え付けの袋が提供されているが、複数枚使用され店舗側としてのコストを下げる目的としても大いに効果が出せる【０００８】必要なところに改善を入れ、不必要な面を省くことで、一例として洗浄する事で複数回使用できるため、環境面においてエコ活動としての効果も望める【０００９】フリーズパックなどの冷凍保存をする際にも、利便性という効果が生まれる【００１０】雨や雪などの天候状況において、デパートなど大型施設の来場者の傘などの収納目的として、施設内の床汚れ防止策転倒防止策としての利用も可能である【００１１】子供用高齢者用の使用済みオムツなどの防臭対策としての効果も期待できる【００１２】ペットの汚物処理の防臭効果、散歩時の汚物持ち帰り袋としても効果を挙げられる【００１３】家庭廃油の処理にも効果的で、気温の高い夏場などは、紙や布などと一緒袋に入れておくと自然発火の恐れがあり、そのような場合複数枚構造の廃油に水を入れる事で可燃性を抑えられ、冬場などは、そのまま袋に入れる事で、利便性の効果が望める【００１４】資源ごみリサイクルにより、有効に資源の再利用を図るうえで、本来のエコ活動になり、国際的な地球温暖化対策に寄与できる
【図面の簡単な説明】
【００１５】
【図１】本考案が示す簡易袋の構成図である
【図２】本考案が示す簡易袋の展開図である
【図３】本考案が示す簡易袋円柱型一例実施例図である
【図４】本考案が示す簡易袋角柱型一例実施例図である
【図５】本考案が示す簡易袋凸凹溝ロック型一例実施例図である
【図６】本考案が示す簡易袋凸凹溝ロック型一例実施例展開図である
【図７】本考案が示す簡易袋ファスナー型一例実施例図である
【図８】本考案が示す簡易袋一例実施例図である
【考案を実施するための形態】
【実施例】
【００１６】本考案の簡易袋ついて、図面に基づいて説明する。図１、図２に示すように外側袋１と内側袋２を熱による接着加工により製造できる為、素材は化学繊維を使用する事で低コスト又は大量生産できる【００１７】図３、図４は、底面の形状を円型、四角型、楕円型にする事で、様々な物を入れる際に、袋自体の転倒防止を生ませる形状となる【００１８】図５は、開口部に凸凹溝ロック３を設け、液体の漏れを防ぎ、複数層により利便性が生まれる【００１９】図６は、図５の内側の袋を外側に出した際の展開図であり、内側袋４と外側袋５によって構成される。底面又は外周接着により、複数層の耐久性を持った簡易袋が提供できる【００２０】図７が示す開口部は、ファスナー５を用いた開閉簡易袋を一実施例として示しており、複数層に外周底面接着による構造となっている【００２１】図８が示す傘簡易袋７は、底面又は開口部の接着により液体の漏れを防ぐ複層構造になっており、施設内の床の汚れまた転倒防止策として利点が生まれる簡易袋となる
【符号の説明】
【００２２】１  外側袋
２  内側袋
３  凸凹溝ロック
４  凸凹溝ロック内袋
５  凸凹溝ロック外袋
６  ファスナー
７  傘用簡易袋
【図１】
0003213940.tif 000003
【図２】
0003213940.tif 000004
【図３】
0003213940.tif 000005
【図４】
0003213940.tif 000006
【図５】
0003213940.tif 000007
【図６】
0003213940.tif 000008
【図７】
0003213940.tif 000009
【図８】
0003213940.tif 000010
(57)【要約】      （修正有）【課題】可撓性合成樹脂からなる円錐台上部開口の自立水槽で、地震による揺れや傾きにより水の飛び跳ねを防止し、より安定した水槽を農水産業、建設土木、イベント、災害現場などに於いて一時的に水を貯めて使用する簡易な水槽を提供する。【解決手段】可撓性合成樹脂からなる円形状の底面シート片２と扇形に裁断された左右両端の直線部の片側上面ともう一方の片側が下面を適度に重ね合わせ溶着又は接着させた筒状の側面シート片１により構成される。【選択図】図２
0003213952.tif 000002
【実用新案登録請求の範囲】
【請求項１】
可撓性合成樹脂からなる円錐台の天井部分が無く上部周縁に飛び跳ね防止の返しが装着されている水槽
【請求項２】
円錐状の筒部下端周縁部と円形の底面シートの周縁部が溶着または溶接されていて、側面片シート片下部に開閉可能な排水口が１個または複数個取り付けられた水槽。
【考案の詳細な説明】
【技術分野】
【０００１】
本考案は、農水産業、建設土木、イベント、災害現場などに於いて一時的に水を貯めて使用する簡易な水槽に関するものである。
【背景技術】
【０００２】
従来の水槽は、鋼製やプラスチックの成形品また枠を備え枠の内面に防水布を施したものがあるり、形状は角錐、四角錐、円錐などがある。
【０００３】
近年はビニール、ターポリン、ポリエチレンなどの合成樹脂による簡易な水槽も多く製品化されている。
【０００４】
自立するためには、空気を注入して形状を維持するものや、簡単な補助具を使うものもあるが、より簡単に安定的に自立するものが必要になった。
【先行技術文献】
【特許文献】
【０００５】
【特許文献１】特開２０１４−２１０６０９号公報
【非特許文献】
【０００６】
【非特許文献１】萩原工業株式会社  簡易式シートタンク
【考案の概要】
【考案が解決しようとする課題】
【０００７】
解決しようとする問題点は、可撓性合成樹脂を用いた水槽には角錐、四角錐、円錐はあるがいずれも自立するために簡易な補助具を組み合わせている。また形状の大きさは水槽の底面の大きさと水槽の高さで決められているが設置面の状況、地震の際の振動で傾きや転倒の恐れも考えられる。
【課題を解決するための手段】
【０００８】
本考案は、可撓性合成樹脂による円錐台形の上部開口水槽の製作において、円形状の底面シート片と扇形に裁断された左右両端の直線部の片側の上面ともう一方の片側が下面を適度に重ね合わせ溶着又は接着させた筒状の側面部のシート片により構成されていることを最も主要な特徴とする。
【考案の効果】
【０００９】
本考案は、円錐状の筒部側面部シート片下端周縁部と円形の底面シート片の周縁が溶着または接着されている。この場合側面シート片の内側と底面シート片の外側を適度に重ね合わせるが、重ね方は逆でも構わない。
【００１０】
本考案は簡易式水槽なので水槽の大きさにより側面シート片の下部に開閉式の排水口が１個ないし複数個備えている。また水槽内にホース等で注水するときにホースが固定できるタッセル状の固定具が内側上方に付いている。
【００１１】
本考案の水槽は、振動による傾き、転倒防止策として中に貯まった水が振動や傾きで上部開口部から飛び跳ねないように側面上部内側の周縁に適度な長さの返しがついている。
【００１２】
本考案の水槽は底面に対しての側面の立ち上がり角度は４５度以上９０度未満としているが６０度から７０度が望ましい。
【００１３】
本考案の水槽は一重布で形状を維持するので、補助部材もいらず軽量であり収納、保管、運搬、設置に時間や費用がかからないという利点がある。
【００１４】
本考案の水槽は円錐台の形状の為、円錐、四角錐に比べ傾きや転倒時には大きな安定性があり貯水した水が、振動や傾きで水が飛び跳ねにくい工夫がされている
【図面の簡単な説明】
【００１５】
【図１】図１は本考案の実施例を示した斜視図である。
【図２】図２は符号の説明図である。
【考案を実施するための形態】
【００１６】
以下本考案の係る可撓性合成樹脂からなる円錐台上部開口の水槽の好適な実施形態について図に基づいて説明する。
図１は本考案の可撓性合成樹脂からなる円錐台上部開口の水槽の構造と斜視図。
上部開口６からホースやバケツなどで水槽内に貯水する。ホースなどを使用する場合はタッセル７に固定する。
円錐台の形状である為、ある程度水が貯まると形状が維持され安定性が増し自立する。 上部周縁に取り付けた振動や傾きによる水の飛び跳ね防止用返し５は外部の水跳ね防止に役立つ。
円形状底面シート片２の周縁と側面シート片１の下部周縁は相互に周縁３で溶着、または接着されているので水漏れは無い。水槽使用後は側面シート１の下部に取り付けた開閉式の排水口８にて排水して折り畳み収納する。
【産業上の利用可能性】
【００１７】
転倒防止や水槽内の水の飛び跳ね防止策が施されているので、使用する可撓性合成樹脂の生地の性能、又覆いカバーなど特注仕様により、食品関連の保存、有害性液体の簡易保存など様々な分野に応用可能である。
【符号の説明】
【００１８】
１    円錐台筒側面シート片
２    円形底面シート片
３    円錐台筒、側面シート片下部の周縁と円形底面シートの周縁の溶着又は接着部
４    上部開口部周縁
５    上部開口部につけられた水の飛び跳ね防止用返し
６    水槽上部開口部
７    注水用ホース固定用タッセル
８    開閉式排水口
【図１】
0003213952.tif 000003
【図２】
0003213952.tif 000004
【手続補正書】
【提出日】平成29年10月12日(2017.10.12)
【手続補正１】
【補正対象書類名】実用新案登録請求の範囲
【補正対象項目名】請求項２
【補正方法】変更
【補正の内容】
【請求項２】
円錐状の筒部下端周縁部と円形の底面シートの周縁部が溶着または溶接されていて、側面片シート片下部に開閉可能な排水口が１個または複数個取り付けられている、請求項１に記載の水槽
(57)【要約】      （修正有）【課題】ファン、超熱伝導体パイプおよび閉鎖されたループシステム内の循環液体によって、建物内部から屋外へ熱エネルギーを移動させ、冷媒を使用せずに、建物の室内を快適に冷やすことができるエネルギー移送システムを提供する。【解決手段】内部にファンを備えた長方形の箱が、室内から熱気を引き寄せて、その熱気を１組の熱パイプの上を通過させる。熱パイプは、一端が熱気流の中に、他端が冷却液または冷却水の密封循環パイプの中に配置され、熱気流から冷却液または冷却水へ熱を移動させる。熱くなった液体や水は外部の箱へ送り込まれ、その箱には別の１組の熱パイプがあり、一端が熱い液体または水の密封循環パイプの中に配置され、熱い液体から熱を大気へ移動させる。その箱は、熱パイプの反対側の冷気を引き寄せ、熱気を大気中に放出するファンを備える。熱い液体または水は再び、冷たい液体となり、室内の箱へ循環する。【選択図】図１−１
0003213918.tif 000002
【実用新案登録請求の範囲】
【請求項１】
建物の室内を快適に冷やすために熱エネルギーを前記建物内部から屋外や外気へ移動させるために、熱パイプと、ファンと、液体用密封循環パイプと、を備えるエネルギー移送システムであって、
低エネルギーファンおよび循環ポンプを使用する室内ユニット向けの前記システムを使用することで成績係数（ＣＯＰ）の値１０が達成され、
低エネルギーファンのみを使用する外部ユニットに対しても成績係数の値１０が達成されることができ、
減衰および防音被覆材を用い、屋内および屋外両ユニットにおいて騒音を減らし、
前記エネルギー移送システムは、冷却過程において冷却ガスを使用しないため、環境に優しいシステムであり、
高い成績係数により、二酸化炭素排出量が低く、
冷房負荷の増大および異なる室内規模に対応するために、より大きな複数のユニットに拡大あるいは拡張することができ、
二以上の内部ユニットをより大きな密封パイプに連結することができ、このより大きな密封パイプが前記連結された複数の内部ユニットの排熱に合うような大きさに作られた単一の外部ユニットとして機能する、エネルギー移送システム。
【考案の詳細な説明】
【技術分野】
【０００１】
本考案は、機械式ファンによって建物の室内から熱を取り除く、すなわち排熱することに関するものである。本考案は、閉鎖されたループシステム内で、機械式ファンと、熱チューブ（熱パイプ）と、循環水と、を使用し、室内から熱を取り除き、大気へ排熱する。可変冷媒流量（ＶＲＶ（ｖａｒｉａｂｌｅ  ｒｅｆｒｉｇｅｒａｎｔ  ｖｏｌｕｍｅ））システムで現在使用されている機械式ファン、冷却材（冷媒）および圧縮機の代わりに、あるいは、４本のパイプ・ファン・コイルシステムで現在使用されている機械式ファン、冷水および冷却ユニット（いずれの場合においても、大気への排熱のために装置が使用される）の代わりになるものである。
【背景技術】
【０００２】
夏季の間、建物の室内は非常に暑くなり、こうした室内をより快適に居住できるようにするため、室内を冷やす手段が必要である。こうした部屋を快適に冷やすには、屋内および屋外両方に高価な冷却装置や騒々しい装置が必要となる。
【図面の簡単な説明】
【０００３】
【図１−１】図１−１は、段落０００５に記載の代表的な構成を図示している。
【０００４】
【図２−２】図２−２は、段落０００６に記載された、熱パイプがどのように機能するかを図示している。
【考案を実施するための形態】
【０００５】
内部にファンを備えた長方形の箱が、室内から熱気を引き寄せて、その熱気を１組の熱パイプの上を通過させる。その１組の熱パイプは、一端が熱気流の中に、もう一端が冷却液または冷却水の密封循環パイプの中に配置されている。熱パイプは熱気流から熱を取り除き、冷却液または冷却水へその熱を移動させ、それにより、その液体または水が温められる。熱くなった液体や水は外部の箱へ送り込まれ、その箱には別の１組の熱パイプがあり、その一端が熱い液体または水の密封循環パイプの中に配置され、熱い液体から熱を取り除き、その熱を大気へ移動させる。さらに、その箱は、熱パイプの反対側の冷気を引き寄せ、熱気を大気中に放出するファンを備えている。熱い液体または水は全ての熱を取り除かれ、冷たい液体となり、さらに、室内の箱へ戻って循環し、このサイクルが繰り返される。内部の箱から外部の箱へ密封循環パイプの中を流動する液体は熱い。外部の箱から内部の箱へ同じ密封循環パイプの中を流動する液体は冷たい。ポンプ制御と繋がった室内の温度センサーは、室内が設定温度まで冷やされると、ポンプがオフになり（熱を取り除かない）、室内が設定温度まで暖められると、ポンプがオンになる（熱を取り除く）ことを可能にする。速度可変のポンプが、どの程度の熱を取り除く必要があるかに応じて、パイプ内を循環する液体や水の流動速度を上げたり、下げたりする。本システムにおいて、内部の熱パイプの吸熱源は、密封パイプシステム内を循環する液体や水である。外部の熱パイプの吸熱源は、ファンによって熱パイプの反対側から引き寄せられた外部の冷気である。
【０００６】
熱パイプの説明
熱パイプ（前段落に記載され、かつ図１−１および図２−２に図示されている）は、たとえば冷却過程において、熱、すなわち熱エネルギーをある地点から別の地点へ、効率的に移動させる二相式システムである。こうしたパイプ装置は、内部に少量の作動流体が密封され、その後、真空にされる。熱は、パイプ装置内の作動流体が蒸発（気化）および凝縮（液化）される過程で、非常に効率的に移動される。
一般に、熱パイプは内径に芯を有し、冷却液体はその芯を通って、冷却凝縮器から加熱蒸発器へ移動し、そこで液体は蒸発する。
凝縮器では、吸熱源が蒸気を凝縮し、その熱を移動させ、温める。蒸気は冷たい液体となり、本システムから継続的に熱を取り除くように、このサイクルが繰り返される。
沸騰および凝縮のための超高熱移動係数によって、本システムでの温度降下は最小限である。熱パイプは、熱移動において、銅よりも２５〜２５０倍もより効果的であり、超熱伝導体であると考えられる。
こうした受動的装置は長寿命で管理を必要としない。
【図１−１】
0003213918.tif 000003
【図２−２】
0003213918.tif 000004
(57)【要約】      （修正有）【課題】先端にカメラを取付けたポールや傘のシャフトを手で支え持つ必要なく固定できる装着具を提供する。【解決手段】ポール１０やコーモリ傘のシャフトの２箇所に、一本のゴムベルト１を摺動固定部２、５を用いて装着し、先端にズボンの裾などに固定するためのクリップを取付けたベルト５の一端を下部摺動固定部５に固着する。【選択図】図２
0003213966.tif 000002
【実用新案登録請求の範囲】
【請求項１】
一本のポールにスナップボタンにより可動脱着できるようにした上部摺動固定部を有し、他端に上部摺動固定部と同様に当該ポールにスナップボタンにより可動脱着できる下部摺動固定部を有する１本のゴムベルトと当該下部摺動固定部に先端にズボンの裾などに固定出来るクリップを取付けたベルトの一端を一体化したポールを身体に手を要せず固定する装着具。
【考案の詳細な説明】
【技術分野】
【０００１】生活必需品
【背景技術】
【０００２】傘のシャフトや先端にカメラやフラッグを取付けたポール等を手に無関係に身体に取付保持する方法。
【非特許文献】
【０００３】なし
【考案の概要】
【考案が解決しようとする課題】
【０００４】一本のポールに対し両手を使わずに身体に装着保持させる装具
【課題を解決するための手段】
【０００５】図１に示す通り一本のゴムベルト（以下１）の一端に相対する一組のスナップボタン凸部（以下３）とスナップボタン凹部（以下４）を設け、３と４でポールを包み可動出来るよう留められる上部可動固定部（以下２）を設け、同様に１の他端に相対する一組のスナップボタン凸部（以下６）とスナップボタン凹部（以下７）とさらに先端にクリップ（以下９）を取付けたベルト（以下８）の端を縫着した下部可動固定部（以下５）を設け、１の長さを調節できるよう調整用の金具１４（以下１４）を設ける。
その上で図２に示す２及び５と１と１０で囲まれた輪の中に図４及び図５で示すよう１が背側、１０が胸側になるように身体の頭と片手を差し入れ、５に取付けた８の先端にある９でズボンの上裾に固定する。
【考案の効果】
【０００６】従来ポールを手で支え持つ必要があったものが、手を使うことなく保持出来るようになる。例えばコーモリ傘をさす場合柄を持つ手を必要としていたが、本考案の装具を使えば、コーモリ傘の種類を問わず両手を自由に出来る。また、ポールの先端に小型カメラを付け身体に装着すれば歩行しながら高めの視点で映像を捉えることが出来る等ポールを身体に装着し、両手を自由にする効果は大きい。
【図面の簡単な説明】
【０００７】
【図１】本考案の装具の構成部品を示す。
【図２】先端に小型カメラを取付けたポールに本考案の装具を取付けた状態を示す。
【図３】コーモリ傘のシャフトに本考案の装具を取付けた状態を示す。
【図４】先端に小型カメラを取付けたポールを本考案の装具を使って身体に装着した状態の正面からの状態を示す。
【図５】前図における側面からの状態を示す。
【図６】コーモリ傘を本考案の装具を使って身体に装着した状態を示す。
【考案を実施するための形態】
【０００８】図１に示す通り１の一端に相対する３と４でポールを包むように留められる２を設け、同様に１の他端に相対する一組の６と７とさらに先端に９を取付けた８の端を縫着した５を設ける。１の長さの調整を１４にて行う。
【０００９】図４及び図５に示す通り
【産業上の利用可能性】
【０００１０】既存のゴムベルトとスナップボタン、クリップなどの組み合わせで実現できる。
【符号の説明】
【０００１１】  １  ゴムベルト
２  スナップボタン凹部３、凸部４の一組を有し３と４でポールに摺動出来る留められ      る上部摺動固定部
３  上部摺動固定部２のスナップボタン凹部
４  上部摺動固定部２のスナップボタン凸部
５  スナップボタン凹部６、凸部７の一組を有し、且つ先端に固定用クリップ９を取付      けたベルト８の端を縫着した下部摺動固定部
６  上部摺動固定部５のスナップボタン凹部
７  上部摺動固定部５のスナップボタン凸部
８  固定用ベルト
９  固定用クリップ
１０  ポール
１１  小型カメラ
１２  傘
１３  コーモリ傘のシャフト
１４  ベルト１の長さ調整金具
【図１】
0003213966.tif 000003
【図２】
0003213966.tif 000004
【図３】
0003213966.tif 000005
【図４】
0003213966.tif 000006
【図５】
0003213966.tif 000007
【図６】
0003213966.tif 000008
(57)【要約】      （修正有）【課題】タッチスクリーンを備える電子機器に簡易な防水防塵機能を実現できる電子機器のカバーを提供する。【解決手段】本発明であるプレート２を備えたカバー１を電子機器に取り付ける。電子機器をチャック付きポリ袋等６に入れて封をする。プレート２上の開口部５に向かって指を挿入し、タッチスクリーン３に圧力を加えることで、特定の操作をおこなう。以上の構成により、電子機器に簡易に防水または防塵機能を付加することを特徴とする。【選択図】図３
0003213167.tif 000002
【実用新案登録請求の範囲】
【請求項１】
透明なプレート（２）上に、電子機器（４）のタッチスクリーン（３）に指の圧力を加えるための開口部（５）を複数備える。そのプレート（２）を電子機器（４）の画面に対し水平にかつタッチスクリーン（３）に直接接触しないように維持する。このような形状を備えるカバー（１）を特徴とする。なお、プレート（２）は、硬いものとは限らず、上記の形状を維持できる柔らかいシートのようなものの場合も含む。
【考案の詳細な説明】
【技術分野】
【０００１】この発明は、汎用品であるチャック付きポリ袋等により防水または防塵機能を実現し、タッチスクリーンを備える電子装置の主要な作業をおこなうことができる補助カバーに関するものである。
【背景技術】
【０００２】関連技術の発展に伴い、移動通信端末機、ＰＤＡ、コンピューターなどの各種電子機器においては、キーパッド、キーボードまたはマウスなどの従来の入力手段を省略し、液晶画面などの出力手段に接触感知機能を有するセンサーの入力装置（タッチスクリーン）のみを備えた電子機器（タブレット）が多く作られている。
【考案の概要】
【考案が解決しようとする課題】
【０００３】これには次のような問題があった。
（ア）電子機器は、本来、水や埃に弱いものであるが、ユーザーの使用方法（操作や機能や場所等）は多岐に渡り、ユーザーが求めるものの一つに防水機能がある。
（イ）タッチスクリーンを備える電子装置は、タッチスクリーン上に指やスライラスペンで入力するものであり、防水・防塵機能とは、相性が悪い。
（ウ）電子機器の製造者が電子機器そのものに防水・防塵機能を持たせることはあるが、過剰性能、使用方法の制約、開発期間の増加、製造コスト増など問題を余儀なくされ、ユーザーの求めるコストに納まらない場合がある。
本発明は、以上のような欠点をなくすためになされたものである。
【課題を解決するための手段】
【０００４】無色透明のプレート（２）上に、タッチスクリーン（３）のついた電子機器（４）を操作するための複数の開口部（５）を設ける。
本発明は、以上の構成よりなる電子機器（４）のためのカバー（１）である。
【考案の効果】
【０００５】タッチスクリーンでのみ入力作業を行う電子装置によっては、タッチスクリーン上の定位置に表示されるボタン操作だけで、主要な作業（ルーティン操作）を完遂することができる製品やアプリケーションがある。
ルーチン操作を行うことができる複数の穴が設置されたプレートをタッチスクリーンにかぶせることにより、誤作動が防止され、かつチャック付きポリ袋等を介しての操作ができるので、電子装置に簡易で安価な防水・防塵機能を持たせることが可能となる。
また、前面のタッチスクリーンが電子機器本体に対し大きな面積を占めるような電子機器は、このカバーにより、タッチスクリーンが感知できない面積が増えるため、電子装置を持ちやすくする効果がある。
【図面の簡単な説明】
【０００６】
【図１】本発明の斜視図である。
【図２】本発明の断面図である。
【図３】電子機器と本発明をチャック付きポリ袋等に入れた斜視図である。
【図４】図３と同じ形態の断面図である。
【図５】図３と同じ形態で、チャック付きポリ袋等の上から、タッチスクリーンに指で圧力を加え操作している断面図である。
【考案を実施するための形態】
【０００７】以下、本発明を実施するための形態について説明する。
電子機器（４）の画面に、タッチスクリーン（３）に触れないよう、水平にプレート（２）をかぶせ、電子機器（４）とカバー（１）をチャック付きポリ袋等（６）に入れて、チャック付きポリ袋等（６）のチャックを閉じる。
本発明は、以上のような構造である。
電子機器（４）を操作するときは、チャック付きポリ袋等（６）の上から、プレート（２）上の開口部（５）に向かって指を挿入し、タッチスクリーン（３）に圧力を加えることで、タッチスクリーン（３）に表示された特定の操作をおこなう。
本発明は、以上の構成により、電子機器（４）にチャック付きポリ袋等（６）による防水防塵機能を持たせ、チャック付きポリ袋等（６）上から、電子機器（４）を操作可能にするための補助カバー（１）である。
【符号の説明】
【０００８】１  カバー
２  プレート
３  タッチスクリーン
４  電子機器
５  開口部
６  チャック付きポリ袋等
【図１】
0003213167.tif 000003
【図２】
0003213167.tif 000004
【図３】
0003213167.tif 000005
【図４】
0003213167.tif 000006
【図５】
0003213167.tif 000007
【手続補正書】
【提出日】平成29年4月29日(2017.4.29)
【手続補正１】
【補正対象書類名】実用新案登録請求の範囲
【補正対象項目名】請求項１
【補正方法】変更
【補正の内容】
【請求項１】
タッチスクリーン（３）を備える電子機器（４）のカバー（１）において、タッチスクリーン（３）に指による圧力を伝えるための開口部（５）を複数備えている透明なプレート（２）を特徴とする。
【手続補正書】
【提出日】平成29年7月31日(2017.7.31)
【手続補正１】
【補正対象書類名】実用新案登録請求の範囲
【補正対象項目名】全文
【補正方法】変更
【補正の内容】
【実用新案登録請求の範囲】
【請求項１】
タッチスクリーン（３）を備える電子機器（４）のカバー（１）において、タッチスクリーン（３）に指による圧力を伝えるための開口部（５）を複数備えている透明なプレート（２）であることを特徴とするカバー（１）。
(57)【要約】      （修正有）【課題】洗たくをした後の乾燥を早くして、手軽にほせて、乾燥後、そのまま収納でき、安価で提供できるピンチハンガーを提供する。【解決手段】洗たく用の大型ピンチの持ち手部分の先に垂直板を設け、その先端部分１をノコギリ状の凹凸にした。大型ピンチの持ち手部分の反発作用を利用して、ズボンの裾口を拡げ逆さつりする事で、狭い場所で手軽にほすことができる。又、持ち手部分を幅広くし、通気口２を設けた。ウエスト部分の自重でしわが伸び、下部のウエスト部分から上部の裾口まで風が通い抜けるので乾きが早くなる、又、しわが伸びているので乾いたらその状態で収納する事もできる。【選択図】図１
0003213183.tif 000002
【実用新案登録請求の範囲】
【請求項１】
洗たく用ピンチの持ち手部分の先に垂直板を設け、その先端部分をノコギリ状の凹凸にした事を特微とする、ピンチハンガー。
【考案の詳細な説明】
【技術の分野】
【０００１】  本考案は、洗たくした後のズボン類を乾そう用や収納用に使うハンガーに関する考案です。
【背景の技術】
【０００２】  従来のズボンの乾そう用ハンガーは、ウエスト部分を４ケ所以上止める物や。収納用として使うハンガーには、すそ口をピンチで密着させて止める形式や、すそ口の内側を二枚の板状の物を、バネの反発力で広げて、逆さにつるす形状の物はありました。
【考案が解決しようとする課題】
【０００３】  洗たくをした後の乾そうを早くして、手軽にほされて、乾そうして収納する時は、そのまま収納でき、安価で提供できるようにする事を解決する目的で考案しました。
【考案を解決する為の手段】
【０００４】  大型ピンチの持ち手部分の反発作用を利用して、ズボンの裾口を拡げ逆さつりする事で、狭い場所で手軽にほせるようにしました、又、持ち手部分を幅広くする事で下部のウエスト部分と、上部の裾口に風が通るようにしました。そしてピンチ式にする事で、材料費を、少なく、大量生産が出来る形にしました。
【考案の郊果】
【０００５】  ズボンの裾口を拡げて逆さにする事で、ウエスト部分の自重でしわが伸び、通気口設けた幅広なピンチによって、下部のウエスト部分から上部の裾口まで風が通い抜けるので乾きが早くなる、又、しわが伸びているので乾いたらその状態で収納する事もでき、通気性が有るので、度々着る時もハンガーとしてかけられ、除菌しても乾かす事ができるようになる。
【考案を実施するための最良の形態】
【０００６】  大型ピンチの持ちて部分に通気口を設け、その先端部分を裾口の内側部分がすべらないように、のこぎり状の凹凸を設けた形状にして、ピンチの反発力でズボンを固定する形態にしました。
【図面の簡単な説明】
【０００７】
【図１】
0003213183.tif 000003
【図２】本考案を使用した時の上から見た平面図。
【考案を実施する為の形態】
【０００８】  大型ピンチの持ちて部分を３のように幅広くして、その上面に空洞２を設け、その先端は１のようにのこぎり状にした板を付け、上部にフック５を設けるだけで、ピンチ式ハンガーになる形態にしました。
【実施例】
【０００９】  ズボン裾から、ピンチを縮めて差し入れ、片方ずつ折め９と８に合わせ、ピンチを縮めてる手を放します、この動作を２回して、竿にフック５かければ乾そう作業は終わり、収納するときは、その状態で２つのフック５を持って、衣紋掛にかけるだけです。
【付号の説明】
【００１０】  １、裾口の内側があたる部分をのこぎり状にした板部分。
２、下部から風を通すための通風口。
３、裾口を幅広くするためにふくらませている部分。
４、ピンチを拡げるためのスプリング。
５、もの干し竿や、衣紋掛けにかけるフック部分。
６、ベルト通し。
７、前部のチャック部。
８、後側の拆りたたみ線。
９、前側の拆りたたみ線。
１０、ピンチを使用した時に出来るすき間。
１１、ズボンの内側とピンチの外側との間にできたすき間。
１２、ズボンの裾部分。
１３、ズボンのウエスト部分。
【図１】
0003213183.tif 000004
【図２】
0003213183.tif 000005
【手続補正書】
【提出日】平成29年8月21日(2017.8.21)
【手続補正１】
【補正対象書類名】明細書
【補正対象項目名】０００７
【補正方法】変更
【補正の内容】
【０００７】
【図１】本考案の一実施の形態を示した斜視図である。
【図２】本考案を、ズボンの裾に装着して、逆さつりにした実施例を上部から見た平面図である。
(57)【要約】      （修正有）【課題】検問のための装備の伸縮式車輛阻止柵とブレーキ機能が一体型になったブレーキ機能付き伸縮式車輛阻止柵を提供する。【解決手段】検問のための伸縮式車輛阻止柵１に、車輪３と、シャフトカバーと、シャフトカバーに取り付けられたブレーキ装置２とを備え、ブレーキ装置２は、車輪３に食い込むロックピンと、ロックピンの押し出し、押し戻しを行うペダルとを備えた。【選択図】図１
0003213182.tif 000002
【実用新案登録請求の範囲】
【請求項１】
伸縮式車輛阻止柵がそれ自身でブレーキ機能をもちそれ自身で安定した設置ができる一体型のブレーキ機能付伸縮式車輛阻止柵。
【考案の詳細な説明】
【技術分野】
【０００１】
本考案は検問などに用いる伸縮式車輛阻止柵において前後の車軸カバー部分に一体型のブレーキ機能を設けるものである。
【背景技術】
【０００２】
従来の伸縮式車輛阻止柵は、片方を強固なものに固定しもう片方を引っ張ってゆき、必要な位置で車輪に歯止めかけて位置決めをするもので極めて原始的なものであった。又、阻止柵の伸縮に応じて上下センター部に伸縮できるワイヤーもうけ、そのワイヤーを挟み込み、位置決めをするもので、広がらないための位置決めはできても狭まらないための位置決めはできないのである。ワイヤーの挟み込みによる位置決めは人が引っ張ると簡単に動き、ブレーキ機能をもったものになっていないのである。
【考案の概要】
【考案が解決しようとする課題】
【０００３】
本発明は伸縮式車輛阻止柵とブレーキ機能が一体型になったブレーキ機能一体型伸縮式車輛阻止柵を制作することを課題とする。
【課題を解決するための手段】
【０００４】
上記目的を達成するため、本発明は前後の車輪軸カバーにブレーキ機能付装置を取り付けその車輪の回転を利用して地面とこの装置がブレーキ機能をはたすものとしたのである。
【考案の効果】
【０００５】
以上の説明から分かるように、本発明にあっては次に列挙する効果がえられる。
(1)前後にブレーキ機能をもつ伸縮式車輛阻止柵になるためそれ自身で設置の安全性が保たれる。
(2)ブレーキ機能の開閉は開閉のフットペダルを踏み込むだけでできるため、同じ姿勢でブレーキ機能の開閉と車輛阻止柵の開閉ができ安全で無駄がなく素早い対応ができるのである。   
【図面の簡単な説明】
【０００６】
【図１】ブレーキ機能付伸縮式車輛阻止柵側面全体図
【図２】ブレーキ機能正面図
【図３】ブレーキ機能左側面
【図４】ブレーキ機能平面図
【図５】ブレーキ機能A-A1斜視図
【考案を実施するための形態】
【０００７】
以下、本発明の実施の形態に基づいて説明する。
【実施例１】
【０００８】
図１は本発明の実施例１の２ブレーキ装置を前後に取り付けたときの１伸縮式車輛阻止柵の側面図全体図である。
【０００９】
図４は２ブレーキ装置と３関係する車輪（以後車輪a）を４Uボルト２本で５シャフトカバーに取り付けた時の平面図である。
【００１０】
図５は５シャフトカバーと６車軸はフリー状態であるため、その５シャフトカバーに取り付けた２ブレーキ装置と６車軸はフリーな状態である。３車輪aは内のベアリングにより６車軸との関係もフリーであること表すA-A1斜視図である。
【００１１】
図２センター部に１１バネロック機能設けた平面図、図４平面図に７ONペダル、８OFFペダルがもうけられている。８OFFペダルは利き足が左右どちらでも良いよう素早い対応が出来るように両サイドに配置されている。  
【００１２】
８ONペダルを踏み込むと１１バネロック機構をかいして９ロックピンの軸が回転し９ロックピンが３車輪aの方向に押し出され３車輪aに食い込みロックがかかるのである。
【００１３】
この時３車輪と２ブレーキ装置のロック状態で３車輪aが回転すると２ブレーキ装置が下に押し付けられ、地面との間でブレーキがかかるのである。
【００１４】
ブレーキを解除は、図４の７OFFペダルをふみ９ロックピンが３車輪ａに押し戻されロック機構をかいし９ロックピンが図４左側面のようにもどりのである。
【産業上の利用可能性】
【００１５】
検問に用いる伸縮式車輛阻止柵にブレーキを取り付けることにとり安全に簡単に取り扱るようになる。
【符号の説明】
【００１６】
１伸縮式車輛阻止柵
２ブレーキ装置
３関係する車輪（車輪a）
４Uボルト
５シャフトカバー
６車軸
７ONペダル
８OFFペダル
９ロックピン
１０ブレーキ装置車輪(車輪b)
１１バネロック機構
１２地面（ＧＬ）
【図１】
0003213182.tif 000003
【図２】
0003213182.tif 000004
【図３】
0003213182.tif 000005
【図４】
0003213182.tif 000006
【図５】
0003213182.tif 000007
【手続補正書】
【提出日】平成29年7月18日(2017.7.18)
【手続補正１】
【補正対象書類名】実用新案登録請求の範囲
【補正対象項目名】全文
【補正方法】変更
【補正の内容】
【実用新案登録請求の範囲】
【請求項１】
車輪とブレーキ装置が一体となり車輪と共にブレーキ装置が回転しブレーキ装置自身が地面に当たることにより車輪にブレーキがかかるブレーキ機能付伸縮式車輛阻止柵。
【手続補正書】
【提出日】平成29年8月25日(2017.8.25)
【手続補正１】
【補正対象書類名】実用新案登録請求の範囲
【補正対象項目名】全文
【補正方法】変更
【補正の内容】
【実用新案登録請求の範囲】
【請求項１】
車輪と、シャフトカバーと、シャフトカバーに取り付けられたブレーキ装置とを備え、ブレーキ装置は、車輪に食い込むロックピンと、ロックピンの押し出し、押し戻しを行うペダルとを備えた、ブレーキ機能付伸縮式車輛阻止柵。
(57)【要約】      （修正有）【課題】頭囲に結んで装着してバイザーまたはキャップの鍔になり、または前垂れに使用できるデザイン・機能可変シートを提供する。【解決手段】プラスチックシート本体Ａに通し穴１、２とスリット３を設け、バンダナ等の布や紐を通し穴１、２に通して使用する。コンパクトに保持携帯ができ、ウォッシャブルで清潔保持が手軽で、維持管理に手間がかからない。【選択図】図１
0003213187.tif 000002
【実用新案登録請求の範囲】
【請求項１】
独自のカットで、バンダナ等の布や紐と組み合わせることにより、帽子の鍔及びバイザーとＢＩＢ（前垂れ）になり、自己粘着性を活かしてデザインと機能を変化させることが出来るプラスチックシートのバイザー。
【考案の詳細な説明】
【技術分野】
【０００１】本考案は、バンダナ等の布や紐と組み合わせることで、バイザー及びキャップの鍔とＢＩＢ（前垂れ）になり、認識票や模様シート・ＵＶシート等の着脱よってデザインと機能を変化させることが出来るように独自のカットを施した防水性と自己粘着性を有したプラスチックシートのバイザーに関するものである。
【背景技術】
【０００２】雨天、傘を差さない安全な日常的自転車走行の為雨合羽やレインポンチョを使用している。花粉アレルギー対策には外出時に付着した花粉をブラシで払ったり洗濯したり、花粉の付着しにくい素材やスプレーがある。
従来のユニフォームは、帽子・衣服等の違いや、腕章或は名札などの装着で所属や役割を示していた。個々の体格に合わせたユニフォームの支給には費用と製作時間を要し、私服との着替えには両方の保管スペースや更衣室が必要である。イベントやボランティア活動などでの短期間の従事にはプリントＴシャツなどが支給される場合が多く観られる。
【考案の概要】
【考案が解決しようとする課題】
【０００３】外出時、コンパクトに保持携帯し、雨具の補助と日除け及び飛散花粉除けを兼用する。自転車では傘を差さずに安全走行をする。
イベント来場者等一般に係や担当を識別しやすくする。私服のシャツ等をユニフォーム化し、個性も尊重しながら従事者相互の連帯感と視覚的一体感を作る。イベント会場などで更衣のための仕切られたスペースの確保を最小限にし、被服の省資源化や維持管理の省力化をする。人員の役割変更に即座に対応する。
【課題を解決するための手段】
【０００４】当考案のシートを、雨の場合はレインコートやフードの内側に、日除けにする時は自己粘着力を活かしてＵＶシートを貼り、何れもバンダナ等を所定の穴に通して頭囲に結んで装着する。
イベント等ではＩＤが識別できるようにＢＩＢに名札シールを貼る。通常のＩＤカードより面積が広いのでロゴマーク等を併せて大きく表示出来る。
装着する位置・併せる布や紐・貼るシールのデザインを自由に変化させて着用出来る。
いずれの場合も、水や洗剤で洗え、水分を拭き取り直ぐに再使用出来る。
また洗えない場合はアルコールで清拭出来るので、花粉アレルギー対策を含め常に清潔を保ち、他者との交換や使い回しをする場合にも対応する。
【考案の効果】
【０００５】上述のように、自転車での外出時等に晴雨両用の補助バイザーをコンパクトに保持携帯できる。突風などに遭っても、傘や従来のバイザーに比較して飛びにくく、とくに花粉アレルギーには手軽に洗い流す又は清拭出来ることは対策として有効である。
イベント等で来場者一般に係や担当を視覚的に識別しやすくする。私服のシャツ等を簡易にユニフォーム化し、個性も尊重しながら従事者相互の連帯感を作る。イベント会場などで更衣のための仕切られたスペースの確保を最小限にし、被服の省資源化や維持管理の省力化をする。人員の役割変更に即座に対応する。
【図面の簡単な説明】
【０００６】
【図１】本考案のシートである。
【図２】ＩＤシールの例である。
【図３】前垂れに使用した例である。
【図４】キャップとして使用した図である。
【図５】バイザーとして使用した図である。
【考案を実施するための形態】
【０００７】バンダナ等の布をシートに設置した穴に通して、キャップ・バイザーやＢＩＢそれぞれの用途に合わせて、必要な場合はシールを貼り、頭囲や首回り腰回りに結び変え使用する。
【符号の説明】
【０００８】    Ａ  シート本体
Ｂ  自己粘着性デザインシール（例）
Ｃ  自己粘着性名札シール（例）
１  バンダナ等布の通し穴
２  バンダナ等布の通し穴
３  バンダナ等を固定するスリット
イ  バンダナ等の布
【図１】
0003213187.tif 000003
【図２】
0003213187.tif 000004
【図３】
0003213187.tif 000005
【図４】
0003213187.tif 000006
【図５】
0003213187.tif 000007
【手続補正書】
【提出日】平成29年8月9日(2017.8.9)
【手続補正１】
【補正対象書類名】実用新案登録請求の範囲
【補正対象項目名】全文
【補正方法】変更
【補正の内容】
【実用新案登録請求の範囲】
【請求項１】
プラスチックシート本体に通し穴とスリットを設け、バンダナ等の布や紐を所定の穴に通すことで、頭囲に結んで装着してバイザーまたはキャップの鍔になり、または前垂れに使用できるデザイン・機能可変シート。
(57)【要約】      （修正有）【課題】乗用馬の運動時における血行促進を安全かつ簡単に行うことができる乗用馬用磁気ネックレスを提供する。【解決手段】ゴム芯ナイロン製コードにリング状のネオジム磁石（永久磁石）を通しコードロック（長さ調整）とコードエンドで製作した乗馬用磁気ネックレスである。馬の運動時において騎乗者や馬の邪魔にならない安全な場所である首の付け根で、尚且つ大きな血管が近くを通っている場所に、簡単に装着でき血行促進ができる。【選択図】図２
0003213190.tif 000002
【実用新案登録請求の範囲】
【請求項１】
乗用馬騎乗時に着ける事により、血行を促進しコリや張りなどを軽減する。
乗用馬用磁気ネックレス。
【考案の詳細な説明】
【技術分野】
【０００１】  本考案は、乗用馬騎乗時における。馬の運動を補助する為の磁気ネックレスに関するものである。
【背景技術】
【０００２】  馬の血行障害で起こる病気は多く、今までもテープ付き磁石をつけたりしたが、体毛や運動時の汗ですぐ外れ、紛失する事も多かった。
【考案が解決しようとする課題】
【０００３】  馬の運動時における血行を促進させ、安全かつ再利用が可能な器具
【課題を解決する為の手段】
【０００４】  本考案は、馬が運動時において騎乗者や馬の邪魔にならなく安全な場所は首の付け根で、尚且つ大きな血管も近くを通っている場所に、乗用馬用磁気ネックレスをつける事により問題点を解決している。
又、運動時においてのパンプアップによる筋肉肥大にも収縮するゴム芯ナイロン製コードで対応する事で解決している。
【考案の効果】
【０００５】  上述のように、本考案の乗用馬用磁気ネックレスは使い捨てや紛失の多かった血行促進の商品と違い長い間使用ができ、色々な状況（天候）でも使える考案である。
【図面の簡単な説明】
【０００６】
【図１】本考案の装着時の絵です。
【図２】磁気ネックレス全体図
【図３】コードロックの名称図
【本考案が実施するための形態】
【０００７】乗用馬用磁気ネックレスを馬の顔から入れて首まで下ろし、コードロックを装着している馬の首に合わせ軽く締めロックします。
【実施例】
【０００８】  以下、添付図面に従って実施例を説明する。１はゴム芯ナイロン製コード磁気ネックレスの本体、２はリング状のネオジム磁石コードに通し一番上に１個左右対象に３個ずつ計７個配置、３はコードロックでコードの長さを調整しロックする、４はコードエンドでコードの端末を止めている。
【符号の説明】
【０００９】  １  乗用馬用磁気ネックレス本体
２  リング状のネオジム磁石
３  コードロック
４  コードエンド
【図１】
0003213190.tif 000003
【図２】
0003213190.tif 000004
【図３】
0003213190.tif 000005
【手続補正書】
【提出日】平成29年8月3日(2017.8.3)
【手続補正１】
【補正対象書類名】実用新案登録請求の範囲
【補正対象項目名】請求項１
【補正方法】変更
【補正の内容】
【請求項１】
ゴム芯ナイロン製コードからなるネックレス本体（１）と、複数のリング状のネオジム磁石（２）と、コードロック（３）と、コードエンド（４）とからなる乗用馬用磁気ネックレスであって、
前記複数のリング状のネオジム磁石は、前記ネックレス本体の一番上に１個、左右対称に３個ずつ計７個配置されており、
前記コードロックは前記ネックレス本体の長さを調整可能に設けられており、
前記コードエンドは前記ネックレス本体の端末を止めており、
騎乗時に乗用馬の首に着けることにより、前記乗用馬の血行を促進しコリや張りを軽減可能であることを特徴とする乗用馬用磁気ネックレス。